Podtech/llm-jp-corpus-v4-ja_patent huggingface dataset:
(57)【要約】      （修正有）【課題】側生地を外して洗うことが可能なベッドマットレスを提供する。【解決手段】上面の側生地の外縁にフルオープンタイプのファスナーを設ける。【選択図】図１
0003178692.tif 000002
【実用新案登録請求の範囲】
【請求項１】
上面の側生地の外縁と、マットレス側面の側生地上縁とのすべてをフルオープンタイプのファスナーで結合し、上面の側生地を側面から外すことができるようにしたベッドマットレス。
【考案の詳細な説明】
【技術分野】
【０００１】
本考案は、一般家庭でベッドに使用するに適したマットレスであり、特に長期間使用のため洗濯の可能なマットレスに関する。
【０００２】
本明細書中、「芯材」は、ウレタンフォームやスプリング等を用いた弾性と通気性を有する長方体のマットレス本体部分をいい、「側生地」は、芯材の上面と側面と底面を被覆する部分をいう。
【背景技術】
【０００３】
ベッドマットレスは、ウレタンフォーム等の弾性芯材、スプリング体、それらのフレームやそれらの全部を上面、側面及び底面の側生地で被覆されて構成される。その全体は、小さくとも大人一人がその上面に伏すものであって、標準的には長さ195ｃｍ、幅100〜160ｃｍ、厚さ16〜30ｃｍ程の大きさがある。従って、一旦これをベッド上に設置すれば、これを容易に移動することは困難である。このような大きさが求める単純な外部構造と、頻繁には移動することの少ない性質上、通常のベッドマットレスは、その全体が分離しない一体のものとして構成されることが常態であった。
【考案の概要】
【考案が解決しようとする課題】
【０００４】
このような構成のベッドマットレスは、長期の使用の結果汚れてきたような場合、その全部は勿論のこと乍ら、少なくとも外面上の汚れを除く作業は容易ではない。又、幼児や病人が使用して粗相をして汚したようなときにも、汚れを除くことは容易ではない。
【課題を解決するための手段】
【０００５】
ベッドマットレス（１）は、通常、芯材（６）を最上面の側生地（２）と側面の側生地（４）、底面の側生地（５）の３つの部品で被覆し、しっかりと結合され、全体として一体を構成している。
そこで、本考案ではベッドマットレスの上面である側生地（２）の部分と、その他の部分とを着脱可能に結合することとした。
【考案の効果】
【０００６】
上面の側生地（２）の部分は、それ自体中綿層を含む三層構造でユーザーが直接触れる部分でもあり、この部分がマットレスの下部から容易に外して洗濯ができることはマットレスの使用価値を高める。さらに、側面及び底面内部の附属品等も同様に洗濯が可能となる。
【図面の簡単な説明】
【０００７】
【図１】本考案に係るベッドマットレスのファスナーの一部を外した状態の斜視説明図。
【考案を実施するための形態】
【実施例】
【０００８】
この実用新案登録出願によるベッドマットレスの一実施例によれば、ポリエステル繊維シート、中綿、裏生地の三層のキルティング加工された上面の側生地（２）とその下方の側面（４）と底面（５）の側生地で覆うウレタンフォーム製芯材（６）で構成されている。上面側生地（２）の外縁と、マットレス側面の側生地（４）の上縁との全てをフルオープンタイプのファスナー（３）で結合した。
【０００９】
そこでこのファスナー（３）を開くと、上面の側生地（２）はマットレス側面（４）から外すことが可能であり、前記側生地（２）の汚れは外部の洗濯機などで洗うことが可能である。又、側面（４）や底面（５）の内部の繊維材の洗濯も可能である。
【符号の説明】
【００１０】
１    ベッドマットレス
２    上面の側生地
２ａ  ファスナーの一部を外した上面の側生地
３    ファスナー
３ａ  一部を外したファスナー
４    側面の側生地
５    底面の側生地
６    芯材
【図１】
0003178692.tif 000003
(57)【要約】      （修正有）【課題】農作物トンネル栽培で換気のためビニールの一部を開ける際に、ビニールが落ちないようにする止め具を提供する。【解決手段】水平方向に長手方向が延在する線状部分が、互いに間隔を隔てて垂直方向に４本存在し、上から順に、第一線状態部分、第二線状態部分、第三線状態部分、第四線状態部分とし、第一線状部分の右端と、第二線状部分の右端とを接続する線状部分と、第二線状部分の左端と第三線状部分の左端とを接続する線状部分と、第三線状部分の右端と第四線状部分の右端とを接続する線状部分を備え、第一線状部分左端と線状垂直下部に線状部分より大きい球体１を一体化し、第一線状部分右端上部と第一線状部分第二線状部分の接続部の手前側と反対側に一か所づつ半球３等を一体化し第四線状部分左端と垂直線状部分が一体の部材として構成する。【選択図】図１
0003178663.tif 000002
【実用新案登録請求の範囲】
【請求項１】
水平方向に長手方向が延在する線状部分が、互いに間隔を隔てて垂直方向に４本存在し、上から順に、第一線状態部分、第二線状態部分、第三線状態部分、第四線状態部分、とした場合、第一線状部分の右端と、第二線状部分の右端とを接続する線状部分と、第二線状部分の左端と第三線状部分の左端とを接続する線状部分と、第三線状部分の右端と第四線状部分の右端とを接続する線状部分を備え、第一線状部分左端と線状垂直下部に線状部分より大きい球体を一体化し、第一線状部分右端上部と第一線状部分第二線状部分の接続部の手前側と反対側に一か所づつ半球を一体化し第四線状部分左端と垂直線状部分が一体の部材として構成されたことを特徴とする止め具。
【請求項２】
前記止め具をプラスチックで構成したことを特徴とする請求項１記載の止め具。
【考案の詳細な説明】
【技術分野】
【０００１】本考案は、農作物トンネル栽培で、換気のためビニールを一部開ける  その時ビニールが落ちないようにする止め具です。
【背景技術】
【０００２】トンネルのビニール換気口の方法は、おもなところ  １  ビニールに穴をあける
２  風のないときは、ビニールを押さえている紐で開けたところ保持する。
３  風のある時（強風以外）は、クリップ（洗濯バサミ）で止めていた。２のとき開けていたはずの所が下に落ちて中の作物が換気ができず駄目になることもある。
数多くのトンネルになると作業も大変である。
【考案の開示】
【考案が解決しようとする課題】
【０００３】トンネルの換気口は風の弱い時、又はない時開けて紐で押さえて保持している  それが突然の風でふさがれてしまう問題点がある。腰を曲げての手作業でもある。
本考案はビニールを押さえている紐に簡単に取り付けビニールが落ちない止め具を考案した  これにより従来風の無い時使用されていた１メートルほどの棒先に布切れを巻き付け（ビニールが破損しないことと、巻き付けた所が手先の役目する）作業する人が腰を曲げずにビニールの裾上げ、又降ろす時には、紐で押さえられている所を押し降ろす。この止め具により少々の風でも使用でき、開け閉めする作業を手軽にできるようになった。
また反対側にするとさらに強い風でも落ちることがない
【課題を解決するための手段】
【０００４】
0003178663.tif 000003
大きな球形を、⊃の上部と曲がりの手前側と反対側に半球を一体化したプラスチック製品）を取り付けることにより換気口として開けたビニールトンネルの
0003178663.tif 000004
また垂直線状部を止め具にするとより強固なものになる。
【考案の効果】
【０００５】
0003178663.tif 000005
一体化しさらに下部のところに変えて使うと強固なものになる。
又この止め具は、紐に簡単着脱ができ換気口の調整もできる。【０００６】    以下、本考案の実施の形態を説明する
（イ）水平方向に長手方向が延在する線状部分が、互いに間隔を隔てて垂直方向に４本存在し、上から順に、第一線状態部分、第二線状態部分、第三線状態部分、第四線状態部分、とした場合、第一線状部分の右端と、第二線状部分の右端とを接続する線状部分と、第二線状部分の左端と第三線状部分の左端とを接続する線状部分と、第三線状部分の右端と第四線状部分の右端とを接続する線状部分を備え、第一線状部分左端と第四線状部左端から垂直下側に棒線状端に線状部分より大きい球体を一体化し、第一線状部分右端上部と第一線状部分第二線状部分の接続部の手前側と反対側に一か所づつ半球を一体化し、第四線状部分左端と垂直線状部分が一体化し、前記各線状部分が一体の部材として構成されている。
【考案を実施するための最良の形態】（ロ）形体の色は、レンズになるものは避ける。
（ハ）図▲７▼の長さは、紐幅より４ｍｍ〜５ｍｍ長くする。
（ニ）図▲８▼▲９▼▲１０▼の間隔は、４ｍｍ〜５ｍｍ
（ホ）図▲１２▼の長さは、３ｃｍ〜４ｃｍ
本考案は、以上の構成からなる。
作用は、本考案を使用する時ビニールトンネル換気口の高さの紐に取り付ける
取り付けの際上部が紐の内側に来るよう取り付けるそこにビニールが絡まり換気口ができる
【図面の簡単な説明】
【０００７】
【図１】  本考案の要部拡大  正面図
【図２】  本考案の拡大斜視図
【図３】  本考案の拡大使用図
【符号の説明】
【０００８】▲１▼▲２▼先端球部    ▲３▼▲４▼▲５▼半球部    ▲６▼棒部の直径
▲７▼紐を通す幅    ▲８▼▲９▼▲１０▼紐を挟む間隔箇所
▲１１▼ビニールトンネル押さえの紐    ▲１２▼第二止め具の長さ
【図１】
0003178663.tif 000006
【図２】
0003178663.tif 000007
【図３】
0003178663.tif 000008
(57)【要約】      （修正有）【課題】組み立てた時に、軸となる筒状部分の両端にフタを取り付け、残りの帯を巻き付けると、筒の接合面を接着剤等で固定することなく巻き物を模した形状となるように表した紙箱筒の側面と巻き部分が一体の巻き物を模した形状となるように表すことを可能とする包装用容器を提供する。【解決手段】筒型をベースとし、筒の側面となる帯の一方の端に突起部分のツメ、筒側面部分と巻き部分の境界に差し込み口を設け、筒と巻き部分の境界で段差をつけて帯の巾を変えることで、突起部分を設けた側の端から帯を丸めて差し込み口にツメを差し込んで筒状にし、軸の両端にフタを取り付けて残りの帯を軸に巻きつけて組み立てる。【選択図】図１
0003178670.tif 000002
【実用新案登録請求の範囲】
【請求項１】
紙からなる、筒の側面と巻き部分が一体の巻き物を模した筒状の包装用容器において、筒の側面となる帯の一方の端に突起部分のツメを筒側面部分と巻き部分の境界に差し込み口を設け、巻き付け部分の帯の巾を筒状部分に段差をつけることにより、組み立てた時に、軸となる筒状部分の両端にフタを取り付け、残りの帯を巻き付けると筒の接合面を接着剤等で固定することなく巻き物を模した形状となるように表した紙箱。
【考案の詳細な説明】
【技術分野】
【０００１】  本考案は紙からなる筒状の包装用容器の側面部分と巻き部分が一体となった巻き物を模した包装用箱に関する。
【背景技術】
【０００２】  従来の紙からなる筒状の包装用容器において巻き物を模した形状を現す場合、予め組み立てられた筒型容器を巻き物の軸棒、帯状の紙を巻き付け部とし、筒型容器に帯を巻き付けて巻き物の形に仕上げる。巻き付け部に使用する紙への印刷が可能であり、容器に読み物など多くの情報を添えることが出来る。しかしながら、筒型容器側面に帯の一方の端を貼り付け、筒に帯を巻き付けるため、箱の組み立て・帯の巻き付け・セットと作業工程が多く、材料面についても、ベースとなる筒型容器には厚手の板紙、筒に巻き付ける帯状の紙には薄手の紙と異なる厚みの紙が必要となる。また、筒型容器に使用する板紙は直接印刷を施すには厚すぎるため、容器に印刷を施す場合は、印刷した紙を板紙に貼り合わせて使用することとなる。材料代・加工代ともに筒型容器と比較してコストが高くなる。
【考案の概要】
【考案が解決しようとする課題】
【０００３】  紙からなる筒状の包装用容器において、付属部品を貼り付けることなく、一枚の板紙をカットして組み立てることにより、筒の側面に帯を巻きつけた巻き物を模した形状を表し、その両端に蓋を取り付けることで包装用容器として使用することを可能とする。
【課題を解決するための手段】
【０００４】  筒型容器の側面となる帯の一方の端に突起部分のツメを設け、端から丸めて帯の筒側面部分と巻き部分の境界に設けた差し込み口にそのツメを差し込んで筒状にし、その筒部分を軸として残りの帯を巻き付けることで、接合面を接着剤等で固定することなく巻き物を模した形状となり、巻き付け部分の帯の巾と筒状部分に段差をつけ、軸の両端にフタを取り付けて帯を巻き付けることで巻き物を模した筒型容器となる。
【考案の効果】
【０００５】  これにより、カットした一枚の板紙から、軸となる筒に帯を巻き付けた巻き物を模した形状となる。軸の両端に取り付けるフタの材料を筒と同じ板紙を用いることにより、同じ板紙から巻き物を模した形状の紙箱を作ることが可能となる。また、筒の側面に紙を巻き付けることにより容器の強度を上げることが出来、通常より薄手の板紙を使用することが可能とする。更に、印刷を施すことが可能な板紙を使用することにより、帯を含めた容器全面への印刷が可能とする。
【図面の簡単な説明】
【０００６】
【図１】本考案の箱の形状を示す展開図
【写真の簡単な説明】
【０００７】
【写真１】
組み立てた時の正面からの形状を示す図
【写真２】
組み立てた時の背面からの形状を示す図
【写真３】
組み立てた時の上面からの形状を示す図
【写真４】
組み立てた時の底面からの形状を示す図
【写真５】
組み立てた時の右側面からの形状を示す図
【写真６】
組み立てた時の左側面からの形状を示す図
【写真７】
組み立ててフタを外した時の形状を示す図
【図１】
0003178670.tif 000003
(57)【要約】      （修正有）【課題】ひき肉等の食材を炒めるとき、だんご状態になった食材を手早くほぐすために、へら本体の先端の平面部に数枚の小型へらを接合し、だんご状態になった食材を手早くほぐせる調理器具を提供する。【解決手段】へら本体１、の先端の平面部に数枚の小型へら２、を接合し、一回の動作で食材を数倍早くほぐすことができるようにした。さらに、同時に食材を炒めるへらの役目を果たす必要があり、へら本体の先端部に接合する数枚の小型へらは、へら本体の片面だけに接合し、もう一方の片面はへら本体として使用できるように、へら本体の先端の平面部がフライパンと密着できるように製作する。【選択図】図１
0003178662.tif 000002
【実用新案登録請求の範囲】
【請求項１】
ひき肉等の食材を炒めるとき、だんご状態になった食材を手早くほぐすために、へら本体の先端の平面部に数枚の小型へらを接合した調理器具。
【考案の詳細な説明】
【技術分野】
【０００１】本考案は、ひき肉等の食材を炒めるとき、だんご状態になった食材を手早くほぐすために、へら本体の先端の平面部に数枚の小型へらを接合し、だんご状態になった食材を手早くほぐせるように考案したものである。
【背景技術】
【０００２】ひき肉等の食材をフライパンで炒めるとき、鉄板を加熱しながら食材を炒める為、手早く食材をほぐす必要があるが、従来の食材炒め器具は、ひき肉等のだんご状態になった食材をほぐすとき、一枚のへらで食材をほぐしていた為、手早く食材をほぐすことが困難であった。
【考案の開示】
【考案が解決しようとする課題】
【０００３】しかし、これでは手早く食材をほぐして食材を均等に炒めることが困難であり、食材をほぐす動作を数十回にわたって繰り返すという不便さがあった。
【課題を解決するための手段】
【０００４】そこで、へら本体の先端の平面部に数枚の小型へらを接合し、一回の動作で食材を数倍早くほぐすことができるようにした。
【考案の効果】
【０００５】よって、本考案に係る調理器具を使用することにより、食材をほぐす時間が短縮され、食材を手早く、均等に炒めることができる。
【考案を実施するための最良の形態】
【０００６】本考案に係る調理器具は、ひき肉等の食材を炒めるときに、だんご状態になった食材を手早くほぐすための調理器具ではあるが、同時に食材を炒めるへらの役目を果たす必要があり、へら本体の先端部に接合する数枚の小型へらは、へら本体の片面だけに接合し、もう一方の片面はへら本体として使用できるように、へら本体の先端の平面部がフライパンと密着できるように製作するのが望ましい。
【図面の簡単な説明】
【０００７】
【図１】本考案に係る食材炒め調理器具の見取り図である。
【図２】本考案に係る食材炒め調理器具の正面図である。
【図３】本考案に係る食材炒め調理器具の側面図である。
【符号の説明】
【０００８】１    食材炒め調理器具本体。
２    小型のへら
３    取っ手
【図１】
0003178662.tif 000003
【図２】
0003178662.tif 000004
【図３】
0003178662.tif 000005
(57)【要約】      （修正有）【課題】鉛板６（厚さ７ｍｍ）を内側に施して外面をＦＲＰ７（汎用品ポリエステル系の樹脂で厚さ約３．５ｍｍ）で覆い施こして、安価でかつ耐久性の高い放射線遮蔽容器を提供する。【解決手段】放射性遮蔽容器１は角型容器でその上部のフタ２は容器１の出し入れ口１Ａの上にかぶさっていてボルト３とナット３Ａにて締め付けられている。容器１の内側に鉛板（７ｍｍ）を配し、その外側をＦＲＰ（３．５ｍｍ）で皮覆する。容器１を保管する為に支柱５（角パイプ）４本の枠内に入れている。支柱５間は補強パイプ（角パイプ）５Ａ及び補強パイプ５Ｂ（小さい角パイプ）で補強されている。なお、容器１下の補強パイプ５Ａは縦−横方向に格子状に施され、更に爪挿入用４の下にも補強パイプ５Ｃ（５Ａと同寸法の角パイブ）で縦−横方向に格子状に施されている。運搬のため、リフト爪挿入用角パイプ４を、容器１の底部に配する。【選択図】図１
0003178669.tif 000002
【実用新案登録請求の範囲】
【請求項１】
遮蔽能力の大きい鉛板（厚さ３ｍｍ以上）を内面に施してその外面をＦＲＰ（汎用性ポリエステル系樹脂厚さ２ｍｍ以上）の樹脂で被覆した放射線遮蔽容器
【考案の詳細な説明】
【技術分野】
【０００１】    本考案は放射能を有する物質で汚染された物質（以下放射性汚染物とする）が人並びに他の生物への悪影響を与えずに安全に収納一保存する為の容器に関するものである。
【背景技術】
【０００２】    今まで放射線を遮蔽する物質に鉛等有りましたが、鉛のみでは容器としての強度が不足していて、なお、他にも日本中で計画されている  地中に穴を掘って厚いコンクリートで囲み埋めこんで排水工事を行うと莫大な工事費もかかり場所も容易に選定できなくて復興が進まない原因でもある
【考案の開示】
【考案が解決しようとする課題】
【０００３】    今まで放射能で汚染された物質を人体や生物から隔離するのに鉛以外で覆う方法も有り（例−上記のコンクリ−ト囲み等）ましたが、長く使用する場合コストの面で問題が有った。
【課題を解決するための手段】
【０００４】１  本考案は安価な鉛を用いて放射線を減量できるものである。図３のように鉛板６（厚さ７ｍｍ）を内側に施して外面をＦＲＰ７（汎用品ポリエステル系の樹脂で厚さ約３．５ｍｍ）で覆い施こす容器にして問題を解決している。この場合フタも同様な構造になっている。【０００５】２  上記の施工にて図１のような放射性汚染物を収納できる角型容器１を製作してその容器１内に低濃度の放射性汚染物を収納−保管できるようになっており、更にこの容器は積み重ねできるようになっていて何段でも積み重ねができる。又、積み重ねされた容器１に土嚢で覆う事で問題を解決している
【考案の効果】
【０００６】  本考案容器１内に低濃度放射性汚染物を収納して前述している手段を施す事により人体（生物）を放射線からの悪影響を無くす事ができる。
【図面の簡単な説明】
【０００７】
【図１】  本考案放射能遮蔽容器の正面図である。
【図２】  本考案方射能遮蔽容器の平面図である。
【図３】  本考案方射能遮蔽容器の側部１部段面図。
【考案を実施するための形態】
【０００８】  本考案の角型容器の側部断面構造は図３のようになっている。容器１内の放射性汚染物から出る放射線を図３は鉛板６（約７ｍｍ×１枚）で減量する事が可能である。
【０００９】  更に軽くて強く耐食性−耐久性の強いＦＲＰ７で覆い固定する事により従来の放射性遮蔽容器より安価で減量できる容器として使用できる。
【実施例】
【００１０】  以下添付図面に従って実施例を説明する。図１は本考案放射性遮蔽容器の正面図であり１は角型容器でその上部のフタ２は容器１の出し入れ口１Ａの上にかぶさっていてボルト３とナット３Ａにて締め付けられている。【００１１】  容器１の外側の四隅は支柱（角パイプ）５を４本にて固定できる。【００１２】  更に容器１の下部はリフト爪挿入用角パイプ４（２本）が施されられてリフトの爪（２本）が入る大きさでリフトによって爪挿入用角パイプ４にリフト爪を挿入して持ち上げ運搬反転ができる。【００１３】  容器１を保管する為に支柱５（角パイプ）４本の枠内に入れている。支柱５間は補強パイプ（角パイプ）５Ａ及び補強パイプ５Ｂ（小さい角パイプ）で補強されており、容器１が保管されている。なお、容器１下の補強パイプ５Ａは縦−横方向（点線で示す）に格子状に施され、更に爪挿入用４の下にも補強パイプ５Ｃ（５Ａと同寸法の角パイブ）で縦−横方向に格子状に施されている【００１４】  図２は上から見た平面図でフタ２をかぶせボルト３とナット３Ａで締め付けられている。【００１５】  図３は図１に示す容器１のＡ−Ａ’及びＢ−Ｂ’で示す箇所の１部断面図であり鉛板６（厚さ約７ｍｍ）は容器１内の低濃度放射性汚染物から出る放射線を減量する事が可能である。更に軽くて強く耐久性の高いＦＲＰ７（汎用性ポリエステル系の樹脂で厚さ約３．５ｍｍ）で外側を覆っている、この時容器内に入れる現状の焼却灰３４ベクレルの場合に鉛６で約１６．８ベクレルに減量できる。
【参考データー】
【００１６】  放射線を半減に減量するに要する厚さは、鉛で７〜８ｍｍ要に対し、鉄１５ｍｍ要で、コンクリートでは５０ｍｍ要となりまして鉛が効果大です。
【符号の説明】
【００１７】  １      角型容器
１Ａ    角型容器の出し入れ口
２      上部のフタ
３      フタ２を止める締め付けボルト
３Ａ    締め付けボルト３の受けナット
４      リフト爪挿入口
５      支柱（角パイプ）
５Ａ    補強パイプ（角パイプ）
５Ｂ    補強パイプ（小角パイプ）
５Ｃ    補強パイプ（角パイプ）
６      鉛板
７      外面のＦＲＰ
【図１】
0003178669.tif 000003
【図２】
0003178669.tif 000004
【図３】
0003178669.tif 000005
(57)【要約】      （修正有）【課題】手に持ってメモをとる際に本文が曲がって書きにくくなる点やメモ本文がめくりにくい点を改善したメモ帳を提供する。【解決手段】すくなくともオモテ表紙３と本文と底板８とからなるメモ帳において、前記底板８の幅及び長さ寸法が、それぞれ前記オモテ表紙３及び前記本文サイズより２ｍｍ以上大きくした事により使用者が書きやすくページがめくり易くなる事を可能にした。【選択図】図１
0003178667.tif 000002
【実用新案登録請求の範囲】
【請求項１】
すくなくともオモテ表紙と本文と底板とからなるメモ帳において、前記底板の幅及び長さ寸法が、それぞれ前記オモテ表紙及び前記本文サイズより２ｍｍ以上大きくした事を特徴としたメモ帳。
【考案の詳細な説明】
【技術分野】
【０００１】  本考案は、機能性（使い易さ）、デザイン性を配慮したメモ帳、ノート等の紙製品に関するものである。
【背景技術】
【０００２】  既存のメモ帳は、オモテ表紙、本文、ウラ表紙が同等サイズにて各種製本（リング製本、天のり製本、糸綴じ製本）されていた。【０００３】  しかし、手に取ってメモを取る際には、本文が曲がり書きづらくなる。更に持った指が邪魔になりメモ帳の端の部分ギリギリまでは使いづらいという欠点があった。【０００４】  同じく、手に持って使用する場合には、両側からメモを挟んでいる為、メモ帳の本文をめくりにくいという欠点も有った。【０００５】  一方、筆記具をメモ帳に付帯させる場合、専用のカバーを併用しそのカバーにペンを付随させるか、もしくはリング製本の場合は、そのリング内にペンを挿入する方法しか取り得なかった。【０００６】  この改善策として、メモ帳のウラ表紙に当る部分のサイズをオモテ表紙や本文のサイズより大きくするか、もしくはウラ表紙とは別にメモ帳本体より大きめのサイズを有する底板を使用する。それと同時にその底板をある一定の厚みと強度を有する素材とする事により、手に持ってメモを取る際にはその部分が下敷きの代わりとなり、本文が曲がらない状態でメモを取れるようになる。更に、その底板部分を持つ事でメモの端から端の部分まで指に邪魔される事なくメモが取れるように改善される。【０００７】  この底板のサイズをメモ帳本体より大き目のサイズにする事で、その余白の部分にペンを付随させる構造とする事も可能である。
【先行技術文献】
【特許文献】
【０００８】
【特許文献１】特開２０１０−８９５０６号公報
【考案の概要】
【考案が解決しようとする課題】
【０００９】  解決しようとする問題点は、手に持ってメモをとる際に本文が曲がって書くにくくなる点やメモ本文がめくりにくいという問題点である。【００１０】  図３は、オモテ表紙、本文、ウラ表紙の外形サイズが同じ既存のメモ帳を手に持った状態の写真であり、メモ帳本文が折れ曲がり書きづらい様子と、両端の指が邪魔をして端から端までメモが取りづらい様子を示す写真である。
【課題を解決するための手段】
【００１１】  本考案は、底板に当る素材のサイズをオモテ表紙や本文並びにウラ表紙より大き目のサイズにするのと同時に本文が湾曲しない程度に底板を厚みと強度を持った素材にすることを主要な特徴とする。
【考案の効果】
【００１２】  本考案のメモ帳は、手にもってメモを取る際にメモ本文がたわむ事なく書き易くなるという利点の他、手に持った状態でメモ本文がめくり易いという利点がある。
又、底板と本文の手前余白部に文字や図形等を記載する事が可能となり例えば広告や注意書き等を記載する事が出来る。
【図面の簡単な説明】
【００１３】
【図１】図１は当該製品を説明した図である。
【図２】図２は当該製品を説明した斜視図である。
【図３】図３は既存のメモ帳を説明した図である。
【図４】図４は本考案メモ帳を手に持った状態を示す説明図である。
【図５】図５は本考案の底板の内部構造を説明した図である。
【考案を実施するための形態】
【００１４】  一般的なメモ帳は、オモテ表紙３と本文２とウラ表紙７を例えばリング製本により一体として構成されている。本考案にかかる図１及び図２で示したメモ帳１では、図５に示す様に芯ボール紙６の両面に突板５を貼り付けた構造の底板８をオモテ表紙３や本文２のサイズより、長さ方向に略１３ｍｍ、幅方向に略５ｍｍ程大きめのサイズにして取り付ける。本考案にかかるメモ帳１では、オモテ表紙３と本文２とウラ表紙７とともに通常の製本と同様のリングワイヤー４により製本を施した（この底板８の素材は、金属やフプラスチック、木、紙、及びそれらの組み合わせからなる素材など何でも良く、素材その物を限定するものでは無い）。
【００１５】  ここでメモ帳１はウラ表紙７を含んで構成されていても良いし、ウラ表紙７を備えず底板８のみにより構成されても良い。
【実施例１】
【００１６】  図１及び図２は、底板８の材料として約１．５ｍｍ厚の芯ボール紙６の両面に約０．２ｍｍ厚の突板５を張り合わせた構造を持つ製品例である。【００１７】  図３に示すように既存のメモ帳は本文２の紙面が湾曲するので書きづらくなる。一方、図４に示す本考案にかかるメモ帳１は、底板８が本文２のサイズより大きいので本文２の紙面が湾曲せず書き易い。更に、メモ帳１の本文２に直接指を触れずに底板８を持って固定する事が可能となる。図４はメモ帳１の本文２の端から端まで指が邪魔になる事なくメモを取れる事を示す図である。【００１８】  上記実施例１におけるメモ帳１はメモ帳に限らずノート等の紙製品にも適用可能である。
【産業上の利用可能性】
【００１９】  メモ帳の使用において、使用者が書き易くページがめくり易いというこれまでに無い機能的なメモ帳としての活用を提供出来る。
【符号の説明】
【００２０】  １      メモ帳
２      本文
３      オモテ表紙
４      リングワイヤー
５      突板
６      芯ボール紙
７      ウラ表紙
８      底板
【図１】
0003178667.tif 000003
【図２】
0003178667.tif 000004
【図３】
0003178667.tif 000005
【図４】
0003178667.tif 000006
【図５】
0003178667.tif 000007
(57)【要約】      （修正有）【課題】次世代型の納骨壇として寺院に設置することで、より多くの人々に低価格で納骨場所を確保することができる屋内仏像型墓地納骨壇を提供する。【解決手段】墓石型納骨堂とし、墓石の代わりに仏像を設置し、仏像背後にスライド式立体的引出収納型納骨箱を設置する。現行の納骨堂とは違い、省スペース化による、低価格での提供が可能となる。【選択図】図２
0003178639.tif 000002
【実用新案登録請求の範囲】
【請求項１】
本考案はスライド式立体的引出収納型納骨箱による、低コスト及び省スペース化された納骨壇である。現行の納骨壇とは違い、納骨堂を立体型にし、大量の納骨スペースを確保することで１区画の作製コストの単価を押さえる。
【考案の詳細な説明】
【技術分野】
【０００１】考案の名称は、屋内仏像型墓地納骨壇
【考案の概要】
【考案が解決しようとする課題】
【０００２】火葬後のお骨を納骨する墓地が遠方にしかない状態であり参拝に不便である。また、現行の納骨堂は、仏壇付平面型のコインロッカー形式の納骨堂であり、高額の冥加金が必要となる。
【課題を解決するための手段】
【０００３】このたびの考案は、墓石型納骨堂とし、墓石の代わりに仏像を設置し、仏像背後にスライド式立体的引出収納型納骨箱を設置する。
【考案の効果】
【０００４】平面型の納骨堂を立体型にすることで、１区画の作製コストの単価を押さえることにより、低価格で提供できる。また、近代型の屋内墓地型納骨堂として市内に設置し、不便を解消する。
【図面の簡単な説明】
【０００５】
【図１】  スライド式立体的引出収納型納骨箱の正面図（別紙）
【図２】  スライド式立体的引出収納型納骨箱のスライド稼働説明図（別紙）
【図３】  スライド式立体的引出収納型納骨箱の側面図（別紙）
【産業上の利用可能性】
【０００６】次世代型の納骨壇として寺院に設置することで、より多くの人々に低価格で納骨場所を提供する。また便の良い市内で設置することで、より参拝しやすい環境を整え、年配の方や忙しい方のニーズに対応できる。
【図１】
0003178639.tif 000003
【図２】
0003178639.tif 000004
【図３】
0003178639.tif 000005
【手続補正書】
【提出日】平成24年3月7日(2012.3.7)
【手続補正１】
【補正対象書類名】実用新案登録請求の範囲
【補正対象項目名】全文
【補正方法】変更
【補正の内容】
【実用新案登録請求の範囲】
【請求項１】
・納骨収納スペースを複数のユニットに区分けされ、一列に並んでいる。
・各ユニットはキャスターを用いて、手前に引き出せる。
・引き出されたユニットには縦・横に区切られたブロックがある。
・このブロックに遺骨を収納することが可能。
以上の構成からなることを特徴とする納骨壇。
(57)【要約】      （修正有）【課題】広告・メッセージ等を印刷し、オリジナル性を持たせたテープを提供する。【解決手段】封筒を使わずに送付冊子をメール便や郵便で発送する方法で使用するテープ１と宛名ラベル３であり、裏面は再剥離可能な糊もしくは普通粘着糊を使用しており、ラベル３表面には一般的な宛名印刷、テープ１表面には企業名や広告、メッセージ、イベント、新商品告知などを印刷した。【選択図】図２
0003178640.tif 000002
【実用新案登録請求の範囲】
【請求項１】
剥離可能な糊もしくは普通粘着糊を使用した宛名ラベルと送付冊子の見開きを留めるテープを使用し、封筒を使わずに送付冊子をメール便や郵便で発送する方法で、使用するテープに企業名や広告メッセージ、イベント、新商品告知などをデザイン印刷し、オリジナル性を持たせたテープで留めて発送するオリジナルテープ。
また、ゴミやＣＯ２削減等につながることから環境配慮型包装として企業が環境活動をアピール出来る。
【考案の詳細な説明】
【技術分野】
【０００１】本考案は、冊子見開き部分を留める再剥離もしくは普通粘着糊テープにオリジナルデザイン印刷を施し、発送することでメッセージや広告告知を行えるものである。
【背景技術】
【０００２】通常の発送方法は封筒やＯＰＰ封筒に入れて送っているケースがほとんど。封筒を使わずに送るこの発送方式は受け取った側からすると珍しがられ興味を持つケースが非常に多い為、これを利用する手段を模索。
【先行技術文献】
【特許文献１】
【０００３】
【非特許文献】
【非特許文献】「２００８年度版  注目のヒット大賞！」Ｐ．５３
【０００４】
【考案の概要】
【考案が解決しようとする課題】
【０００５】送付冊子（送付物）を社名やメッセージ印刷入り封筒やＯＰＰ袋に入れて送る従来方法では、アピール度が低く、印象が残らない。この方法での発送は、受け取り側のインパクトが大きい為、広告・メッセージ効果が高い。現在、各企業は広告宣伝費削減に向かっている中、発送することでこのような効果が得られることは一石二鳥である。
また、封筒を使わない分、ゴミの軽減につながるエコの部分からイメージアップである。
【課題を解決するための手段】
【０００６】従来使用中の剥離可能なラベルとテープで行う。印刷の関係から最低ロットを決めての提案となる。
デザイン自体はお客様から支給してもらう。
【考案の効果】
【０００７】上述の様に、発送方法自体にインパクトがある為、広告・メッセージ効果が絶大である。
また、ゴミやＣＯ２削減等につながることから環境配慮型包装として企業が環境活動をアピール出来る。
【図面の簡単な説明】
【０００８】
【図１】本考案の冊子見開き留めオリジナルテープの図
【図２】冊子表紙と裏表紙にラベル及びテープを貼りつけた図
【考案を実施するための最良の形態】
【０００９】テープ印刷デザインのレイアウトを決め、中央部は固定デザイン、両端から約１００ｍｍ部分をオリジナル印刷可能範囲とし、色数も最大４色程度で文字・ロゴデータの仕様で制限する。
【実施例】
【００１０】以下、添付図面に従って一実施例を説明する。１は、本考案のオリジナルテープです。
裏は再剥離もしくは普通糊になっております。ここでの説明は２の冊子表紙右側の見開き部分にオリジナルテープの約左半分を貼りつけ、見開き部分を留めるように５の裏表紙まで４の状態になるように貼りつけます。
最後に３の再剥離もしくは普通糊付きの宛名ラベルを２の冊子表紙に貼り付けてこの状態でメール便や郵便発送をする。
【符号の説明】
【００１１】１  オリジナルテープ
２  冊子表紙
３  宛名ラベル
４  冊子裏表紙まで巻いて貼りつけたオリジナルテープ
５  冊子裏表紙
0003178640.tif 000003
【手続補正書】
【提出日】平成24年5月17日(2012.5.17)
【手続補正１】
【補正対象書類名】実用新案登録請求の範囲
【補正対象項目名】全文
【補正方法】変更
【補正の内容】
【実用新案登録請求の範囲】
【請求項１】
封筒を使わずに送付冊子をメール便や郵便で発送する方法で使用するテープと宛名ラベルであり、裏面は再剥離可能な糊もしくは普通粘着糊を使用しており、ラベル表面には一般的な宛名印刷、テープ表面には企業名や広告、メッセージ、イベント、新商品告知などを印刷したものを使用。
【手続補正２】
【補正対象書類名】図面
【補正対象項目名】全図
【補正方法】変更
【補正の内容】
【図１】
0003178640.tif 000004
【図２】
0003178640.tif 000005
【手続補正書】
【提出日】平成24年7月12日(2012.7.12)
【手続補正１】
【補正対象書類名】実用新案登録請求の範囲
【補正対象項目名】全文
【補正方法】変更
【補正の内容】
【実用新案登録請求の範囲】
【請求項１】
封筒を使わずに送付冊子をメール便や郵便で発送する方法で使用するテープと宛名ラベルであり、裏面は再剥離可能な糊もしくは普通粘着糊を使用しており、ラベル表面には一般的な宛名印刷、テープ表面には企業名や広告、メッセージ、イベント、新商品告知などを印刷したテープ。
(57)【要約】      （修正有）【課題】水稲用の苗箱を持つ時、腰をあまり曲げなく持ち運びが容易である、苗はこびを提供する。【解決手段】角パイプが互いに交差し、交差する部分がボルトで結合された本体１と、本体１上部端の角パイプを互いに連結する連結部材と前記連結部材の下方に設けられた握り手６と、本体下部端のそれぞれの角パイプに設けられたＬ字状のアングル丁番４と、前記握り手６と前記アングル丁番４とを連結する角パイプ内のワイヤー２と、を備え前記握り手６を上下に可動する事により、前記アングル丁番４が上下可動する。【選択図】図１
0003178638.tif 000002
【実用新案登録請求の範囲】
【請求項１】
水稲田による苗箱をハウスより車に運ぶ折に腰をかがみ苗箱を両手で持ち上げるので多くの人が腰痛に悩む、この機器は少し腰を曲げ持ち上げることができ腰痛が緩和できる。
本体機器は取手を握るとワイヤーの連動により苗箱をはさみ持ち上げ移動できる。
【考案の詳細な説明】
【技術分野】
【０００１】一次産業の農業分野において水稲用の種を箱で育成する。
苗箱を運ぶ機器である。
【背景技術分野】
【０００２】苗を育成するにあたり何百個の苗箱をハウスから車に積み水田まで運ぶ為に腰を曲げることを緩和する。
【先行技術文献】
【特許文献】
【０００３】
【特許文献１】
【非特許文献】
【０００４】
【非特許文献１】氷屋さんが氷柱を金物で両サイドを挟んで運んでいた、
【考案の概要】
【０００５】平均年齢６６歳で高齢化するなか苗箱を運ぶのは腰を曲げたりで大変な重労働ですので腰をまげず運べる機器があればと考案。
【考案が解決しようとする課題】
【０００６】本考案は上述の様に腰をあまり曲げずに片手で運べること従来は腰を曲げ両手で持ち上げていたので考案により腰痛を緩和できる機器である。
【課題を解決するための手段】
【０００７】本考案は軽いアルミの１５ミリ角パイプを加工する、サビないのも特徴で丈夫である。
【考案の効果】
【０００８】上述の様に水稲用の苗箱を持つ時、腰をあまり曲げなく持ち運びが容易あり腰痛が緩和される。
【図面の簡単な説明】
【０００９】
【図１】本考案の機器は苗箱を両サイドを挟むことができる正面図である。
【図２】本考案の図は立体図である
【考案を実施するための形態】
【００１０】本体の上部取手を握ると下部の両サイド４が上下に丁番が可動する。
【実施例】
【００１１】以下、添付図面に従って一実施例を説明する。
１．は本体アルミの角パイプ１５ｍｍ等の適宣素材にて部材１、と１ａをクロスさせた接点が３である、したがってこれを一体化にしたものが本体で
２、は角パイプの空洞の中をステンレスのワイヤー（２ｍｍ）を通し下部の丁番から上部の取手の握りまで連動にて稼動できる、
３、は１、と１ａとの結合ボルトで４、は６、の取手を握るとワイヤーを伝わり丁番が上下可動をする、
５、はワイヤーの伸びの調整金具で６、を握ると４、が可動して苗箱を持ち上げることが出来る。７、は補強材とする。
【産業上の利用可能性】
【００１２】水田、園芸等の苗箱に利用でき全国的には可能性あり。
【符号の説明】
【００１３】１  苗はこび本体の角パイプ
２  角パイプ内のワイヤー
３  １と１ａ接合金具
４  アルミのアングル丁番
５  ワイヤー調整金具
６  上下用の握り手
７  補強用部材
【図１】
0003178638.tif 000003
【図２】
0003178638.tif 000004
【手続補正書】
【提出日】平成24年1月19日(2012.1.19)
【手続補正１】
【補正対象書類名】実用新案登録請求の範囲
【補正対象項目名】請求項１
【補正方法】変更
【補正の内容】
【請求項１】
本考案はアルミの角パイプ（他の部材も含む）図１の２の部材を交差させて３で要として６の握り良い持ち易い為に交差させている４のＬ字から２の角材中にワイヤーを通し５で調整して６をにぎることでＬ字が上下可動したり解除もできる形状を有する苗はこび、本体機器は取手を握るとワイヤーの連動により苗箱をはさみ持ち上げ移動できる。
【手続補正書】
【提出日】平成24年3月26日(2012.3.26)
【手続補正１】
【補正対象書類名】実用新案登録請求の範囲
【補正対象項目名】請求項１
【補正方法】変更
【補正の内容】
【請求項１】
（１）の部材を交差させて（３）で要として（６）を握ると角パイプ内のワイヤー（２）から（４）に伝わりＬ字（４）が上下可動し解除もできる形状を有する。
【手続補正書】
【提出日】平成24年5月25日(2012.5.25)
【手続補正２】
【補正対象書類名】実用新案登録請求の範囲
【補正対象項目名】全文
【補正方法】変更
【補正の内容】
【実用新案登録請求の範囲】
【請求項１】
角パイプが互いに交差し交差部分に結合された本体と本体上部端の角パイプを互いに連結する連結部材と前記連結部材の下方に設けられた握り手と本体下部端のそれぞれの角パイプに設けられたＬ字状板と前記握り手と前記アングル蝶番と連結する角パイプ内ワイヤー等備え前記握り手を上下可動する事により前記アングル蝶番が上下可動する事を特徴とする苗はこび。
【手続補正書】
【提出日】平成24年7月6日(2012.7.6)
【手続補正１】
【補正対象書類名】実用新案登録請求の範囲
【補正対象項目名】全文
【補正方法】変更
【補正の内容】
【実用新案登録請求の範囲】
【請求項１】
角パイプが互いに交差し、交差する部分がボルトで結合された本体と、本体上部端の角パイプを互いに連結する連結部材と前記連結部材の下方に設けられた握り手と、本体下部端のそれぞれの角パイプに設けられたＬ字状のアングル丁番と、前記握り手と前記アングル丁番とを連結する角パイプ内のワイヤーと、を備え前記握り手を上下に可動する事により、前記アングル丁番が上下可動することを特徴とする苗はこび。
(57)【要約】      （修正有）【課題】ネクタイの着用を前提にデザインされた通常のワイシャツを、クールビズ用途などでネクタイ無しで着用しても、襟部が開きすぎない様にする襟留め具を提供する。【解決手段】磁石を利用した留め具にて、通常のワイシャツ（ネクタイの着用を前提としたもの）の襟の状態を固定する。留め具は「相互に引き合う磁石の対または磁石と金属の対」で構成する。襟をシャツに重ね、その上下から留め具の雌雄で挟み、留め具を磁着させる。その結果、襟の状態が固定され襟部が開かなくなる。【選択図】図１
0003178650.tif 000002
【実用新案登録請求の範囲】
【請求項１】
襟を有する薄手の衣服（ワイシャツ等）の襟を固定するための、磁石を利用した留め具。相互に引き合う磁石の対または磁石と金属の対を有する。
【考案の詳細な説明】
【技術分野】
【０００１】  本考案は、襟を有する薄手の衣服（ワイシャツ等）の襟の固定のための磁石利用に関する。
【背景技術】
【０００２】  ネオジム磁石などの近年の磁石の磁力は強力になっており、重ねた布を挟んで固定するのに十分な強度が確保できるようになった。
【考案の概要】
【考案が解決しようとする課題】
【０００３】  ネクタイの着用を前提にデザインされた通常のワイシャツを、クールビズ用途などでネクタイ無しで着用した場合、襟部が開きすぎ乱れた格好に見える。
【課題を解決するための手段】
【０００４】  磁石を利用した留め具にて、通常のワイシャツ（ネクタイの着用を前提としたもの）の襟の状態を固定する。留め具は「相互に引き合う磁石の対または磁石と金属の対」で構成する。襟をシャツに重ね、その上下から留め具の雌雄で挟み、留め具を磁着させる。その結果、襟の状態が固定され襟部が開かなくなる。
【考案の効果】
【０００５】  ネクタイの着用を前提にデザインされた通常のワイシャツを、ネクタイ無しで着用しても襟が開かないように固定でき、乱れた格好にならない。特に近年一般化したクールビズスタイルでは、ネクタイ無しとなるため、通常のワイシャツを着用する場合有効である。【０００６】  襟を傷めることなくその位置を固定でき、位置の変更や取り外しも容易である。【０００７】  襟の留め具としてだけでなく、デザイン性（色、形状、大きさ、の種類や、装飾等）を考慮することで、ファッションアイテム（アクセサリー）としての価値も期待できる。
【図面の簡単な説明】
【０００８】
【図１】「磁石利用襟留め具」を示した図。
【考案を実施するための形態】
【０００９】  図１におけるａ、ｂを、適当な、形状、大きさの「相互に引き合う磁石の対または磁石と金属の対」で構成する。
（図１では、例として表面が平らな楕円柱として記載している。）
【００１０】  その際、襟とシャツを挟んで固定するのに十分な磁力を持った磁石を使用する。
【００１１】  シャツに装着した際、外から見える面に適当なデザインを施す。
【００１２】  表面に適当なコーティングを施す。
【図１】
0003178650.tif 000003
【手続補正書】
【提出日】平成24年7月5日(2012.7.5)
【手続補正１】
【補正対象書類名】実用新案登録請求の範囲
【補正対象項目名】全文
【補正方法】変更
【補正の内容】
【実用新案登録請求の範囲】
【請求項１】
相互に引き合う磁石の対または磁石と金属の対からなる襟留め具。
(57)【要約】      （修正有）【課題】使用者の服装に応じて使い分けられる、デザイン性に優れ反転した場合に、形状が巾着袋となるトートバッグを提供する。【解決手段】トートバックにおいて、反転した場合の形状が巾着袋となるように、裏に口をくくる紐を設け、さらに前記口紐はトートバック形態においても口を絞る事が可能である。また、トートバックとして使用時は持ち手は外側に出ているが、巾着袋として使用の場合は、内側に折りたためる。【選択図】図１
0003178644.tif 000002
【実用新案登録請求の範囲】
【請求項１】
形状（表）がトートバッグであり、反転した状態の形状（裏）が巾着袋であること。
【請求項２】
トートバッグとして使用時は持ち手が外側に出ているが、巾着袋として使用の際には、持ち手は内側に折りたたむ事が可能。
【考案の詳細な説明】
【技術分野】
【０００１】  使用者の服装に応じて使い分けられる、デザイン性に優れたトートバッグに属する鞄である。
【背景技術】
【０００２】  トートバッグには重量物を入れることができ、物の出し入れが簡便である利点があるが、一方で使用者の服装や内容物によっては、形状がそぐわない場合がある。
そこでトートバッグを反転させた場合に、形状が「巾着袋」となる様、加工し使用者の服装や内容量に応じて使い分けるものとした。
【図面の簡単な説明】
【０００３】
【図１】  表面を表す。トートバッグの状態。
【図２】  表面を表す。トートバッグ正面図。
【図３】  表面を表す。トートバッグ側面図。
【図４】  反転した状態を表す。巾着袋の状態。
【図５】  反転した状態を表す。巾着袋正面図。
【図１】
0003178644.tif 000003
【図２】
0003178644.tif 000004
【図３】
0003178644.tif 000005
【図４】
0003178644.tif 000006
【図５】
0003178644.tif 000007
【手続補正書】
【提出日】平成24年7月9日(2012.7.9)
【手続補正１】
【補正対象書類名】明細書
【補正対象項目名】全文
【補正方法】変更
【補正の内容】
【考案の詳細な説明】
【技術分野】
【０００１】  使用者の服装に応じて使い分けられる、デザイン性に優れたトートバッグに属する鞄である。
【背景技術】
【０００２】トートバッグには重量物を入れることができ、物の出し入れが簡便である点があるが、一方で使用者の服装や内容物によっては、形状がそぐわない場合がある。
そこでトートバッグを反転させた場合に、形状が「巾着袋」となる様、加工し使用者の服装や内容量に応じて使い分けるものとした。また、巾着袋の口紐を、トートバッグとして使用時にも操作可能とした。
【考案の概要】
【考案が解決しようとする課題】
【０００３】表面のトートバッグとして使用する場合でも、反転して巾着袋として使用する場合においても口紐を用いる事で、上部開口部を閉じる事ができるようにする。
【課題を解決するための手段】
【０００４】鞄側面に、表面からも裏面からも、両面から同様に口紐が操作できるよう、切り込みを設ける。
【図面の簡単な説明】
【０００５】
【図１】トートバッグの状態。口紐が表面、裏面、双方から操作可能とするための切り込みを図示。
【手続補正２】
【補正対象書類名】実用新案登録請求の範囲
【補正対象項目名】全文
【補正方法】変更
【補正の内容】
【実用新案登録請求の範囲】
【請求項１】
反転した場合の形状が巾着袋となるように、裏に口をくくる紐を設けた事を特徴とするトートバッグ。
【請求項２】
トートバッグとして使用時は持ち手が外側に出ているが、巾着袋として使用の際には、持ち手は内側に折りたたむ事が可能である事を特徴とする、請求項１に記載のトートバッグ。
【請求項３】
巾着袋として使用の際の口紐が、側面の切り込みにより、トートバッグ形状の状態においても、表側から絞る事が可能である事を特徴とする、請求項１に記載のトートバッグ。
【手続補正３】
【補正対象書類名】図面
【補正対象項目名】全図
【補正方法】変更
【補正の内容】
【図１】
0003178644.tif 000008
(57)【要約】      （修正有）【課題】ラッピング加工では難しい形状の扉が低コストで製作可能な手掛扉を提供する。【解決手段】手掛形状部を押出し成型で製作され、表面に塗装又は印刷が行われた手掛形状部が扉本体に接続される。【選択図】図１
0003178649.tif 000002
【実用新案登録請求の範囲】
【請求項１】
従来の手掛扉はＭＤＦに手掛形状の加工を行い塗装加工をするかメラミン板を貼る、もしくは塩ビシート、オレフィンシートを張ることで仕上げていたが、本案は手掛形状部を押出し成型で製作し、表面に塗装又は印刷を行うことでラッピング加工では難しい形状が可能になり、芯材をパーティクルボードに変更することによって低コストで手掛扉を製作する事ができる。
【考案の詳細な説明】
【技術分野】
【０００１】  本考案は樹脂又は塩ビを押出し成型で製作した手掛形状の扉である。
【背景技術】
【０００２】  従来の手掛扉はＭＤＦに手掛形状の加工を行い塗装加工をするかメラミン板を貼る、もしくは塩ビシート、オレフィンシートを貼る事で仕上げていた。
【考案の概要】
【考案が解決しようとする課題】
【０００３】  従来のラッピング加工では難しい形状の扉が低コストで製作可能になる。
【課題を解決するための手段】
【０００４】  本案は手掛形状部分を樹脂又は塩ビ押出し成型で製作し表面に塗装または印刷を行う事により前述の問題点を解決しようとするものである。
【考案の効果】
【０００５】  上述の様に、手掛形状部を押出し成型で製作することにより、オレフィンシートや塩ビシートなどを使ったラッピング加工と組み合わせることで従来のラッピング加工だけでは難しかった形状も可能になりコストダウンにもなる。
【図面の簡単な説明】
【０００６】
【図１】本考案の手掛形状の扉の断面図である。
【考案を実施するための形態】
【０００７】  主に家具製品の扉として使用する。
【図１】
0003178649.tif 000003
【手続補正書】
【提出日】平成24年7月4日(2012.7.4)
【手続補正１】
【補正対象書類名】実用新案登録請求の範囲
【補正対象項目名】全文
【補正方法】変更
【補正の内容】
【実用新案登録請求の範囲】
【請求項１】
押出し成型で製作され、表面に塗装を又は印刷が行われた手掛形状部が扉本体に接続されたことを特徴とする手掛扉。